(57)【要約】【課題】  第三者にユーザの状態を適切に把握させる。【解決手段】  携帯電話機１０は、ユーザに携帯される装置であって、自装置の振動に基づく情報、自装置の周囲の音声、自装置の周囲の画像の少なくともいずれかをユーザが起床いるか否かを判断するための状態情報として取得する状態情報取得部１１と、状態情報が、ユーザが起床いるか否かを示す予め設定された条件に合致するか否か判断する条件判断部１２と、上記の判断に応じた電子メールを設定されたメールアドレスに送信する送信部１３とを備える。【選択図】  図１
2011217145.tif 000002
【特許請求の範囲】
【請求項１】
ユーザに所持される情報送信装置であって、
自装置の振動に基づく情報、自装置の周囲の音声、自装置の周囲の画像の少なくともいずれかを前記ユーザの状態を判断するための状態情報として取得する状態情報取得手段と、
前記状態情報取得手段によって取得された前記状態情報が、予め設定された条件に合致するか否か判断する条件判断手段と、
前記条件判断手段による判断に応じた送信情報を自装置以外の通信装置に送信する送信手段と、
を備える情報送信装置。
【請求項２】
前記条件判断手段による判断に応じて前記ユーザに警告を行う警告手段を更に備える請求項１に記載の情報送信装置。
【請求項３】
前記条件判断手段は、予め定められたタイミングに判断を行うことを特徴とする請求項１又は２に記載の情報送信装置。
【請求項４】
ユーザに所持される情報送信装置による情報送信方法であって、
自装置の振動に基づく情報、自装置の周囲の音声、自装置の周囲の画像の少なくともいずれかを前記ユーザの状態を判断するための状態情報として取得する状態情報取得ステップと、
前記状態情報取得ステップにおいて取得された前記状態情報が、予め設定された条件に合致するか否か判断する条件判断ステップと、
前記条件判断ステップにおける判断に応じた送信情報を自装置以外の通信装置に送信する送信ステップと、
を含む情報送信方法。
【発明の詳細な説明】
【技術分野】
【０００１】
本発明は、ユーザの状態に応じて情報を送信する情報送信装置及び情報送信方法に関する。
【背景技術】
【０００２】
従来から、ユーザの状況を判断する等の目的で携帯端末の位置に応じてメールを自動送信する技術が提案されている（例えば、特許文献１参照）。
【先行技術文献】
【特許文献】
【０００３】
【特許文献１】特開２００４−１４７２１７号公報
【発明の概要】
【発明が解決しようとする課題】
【０００４】
上記の技術によれば、メールの受信者は、携帯端末を携帯するユーザがどの場所にいるのかを把握することができる。しかしながら、上記の方法ではユーザのより詳細な状態を把握することができない。例えば、上記の技術では携帯端末を携帯するユーザが自宅にいることは把握できても、当該ユーザが起床しているのか睡眠中であるのかを把握することができない。更に具体的には、会社に遅刻した者が寝坊によって遅刻しているのか、電車の遅延等のその他の理由で遅刻しているのかを把握することができない。
【０００５】
本発明は、上記を鑑みてなされたものであり、第三者にユーザの状態を適切に把握させることができる情報送信装置及び情報送信方法を提供することを目的とする。
【課題を解決するための手段】
【０００６】
上記目的を達成するため、本発明に係る情報送信装置は、ユーザに所持される情報送信装置であって、自装置の振動に基づく情報、自装置の周囲の音声、自装置の周囲の画像の少なくともいずれかをユーザの状態を判断するための状態情報として取得する状態情報取得手段と、状態情報取得手段によって取得された状態情報が、予め設定された条件に合致するか否か判断する条件判断手段と、条件判断手段による判断に応じた送信情報を自装置以外の通信装置に送信する送信手段と、を備えることを特徴とする。
【０００７】
本発明に係る情報送信装置では、自装置の振動に基づく情報、自装置の周囲の音声、自装置の周囲の画像の少なくともいずれかが状態情報として取得される。そして、取得された状態情報が予め設定された条件に合致するか否かが判断され、その判断に応じて送信情報が送信される。上記のように本発明に係る情報送信装置によれば、自装置の振動、周囲の音声及び画像の少なくともいずれかに基づいて情報の送信が行われるため、単なる装置の位置等を用いる場合に比べて、第三者にユーザの状態を適切に把握させることができる。
【０００８】
情報送信装置は、条件判断手段による判断に応じてユーザに警告を行う警告手段を更に備えることが望ましい。この構成によれば、第三者にユーザの状態を適切に把握させると共に、例えば、ユーザが睡眠中である場合にユーザを起こすこと等ができる。
【０００９】
条件判断手段は、予め定められたタイミングに判断を行うことが望ましい。この構成によれば、出勤時間等の必要なタイミング（時間帯）に第三者にユーザの状態を適切に把握させることができる。
【００１０】
ところで、本発明は、上記のように情報送信装置の発明として記述できる他に、以下のように情報送信方法の発明としても記述することができる。これはカテゴリが異なるだけで、実質的に同一の発明であり、同様の作用及び効果を奏する。
【００１１】
即ち、本発明に係る情報送信方法は、ユーザに所持される情報送信装置による情報送信方法であって、自装置の振動に基づく情報、自装置の周囲の音声、自装置の周囲の画像の少なくともいずれかをユーザの状態を判断するための状態情報として取得する状態情報取得ステップと、状態情報取得ステップにおいて取得された状態情報が、予め設定された条件に合致するか否か判断する条件判断ステップと、条件判断ステップにおける判断に応じた送信情報を自装置以外の通信装置に送信する送信ステップと、を含むことを特徴とする。
【発明の効果】
【００１２】
本発明によれば、自装置の振動、周囲の音声及び画像の少なくともいずれかに基づいて情報の送信が行われるため、単なる装置の位置等を用いる場合に比べて、第三者にユーザの状態を適切に把握させることができる。
【図面の簡単な説明】
【００１３】
【図１】本発明の実施形態に係る情報送信装置である携帯電話機の機能構成を示す図である。
【図２】本発明の実施形態に係る携帯電話機のハードウェア構成を示す図である。
【図３】携帯電話機において本発明の機能に用いられる設定情報を示す図である。
【図４】本発明の実施形態に係る携帯電話機で実行される処理（情報送信方法）を示すフローチャートである。
【発明を実施するための形態】
【００１４】
以下、図面と共に本発明に係る情報送信装置及び情報送信方法の好適な実施形態について詳細に説明する。なお、図面の説明においては同一要素には同一符号を付し、重複する説明を省略する。
【００１５】
図１に、本実施形態に係る情報送信装置である携帯電話機１０を示す。携帯電話機１０は、ユーザによって携帯（所持）され、移動体通信等の通信機能を備えている装置である。後述するように、携帯電話機１０は、ユーザの状態に係る情報を取得して当該情報に応じた処理を行う。具体的には、携帯電話機１０のユーザが起床しているか否かを判断するための情報を取得して、当該情報に応じてユーザを起こす、あるいは第三者にユーザの状態（ユーザが起床しているか否か）を知らせる等の処理を行う。
【００１６】
図２に携帯電話機１０のハードウェア構成を示す。図２に示すように、携帯電話機１０は、ＣＰＵ（Central Processing Unit）１０１、主記憶装置であるＲＡＭ（Random Access Memory）１０２及びＲＯＭ１０３（Read Only Memory)、操作部１０４、無線通信部１０５、ディスプレイ１０６、移動体通信用アンテナ１０７等のハードウェアにより構成されている。また、携帯電話機１０は、上記のハードウェアに加えて、歩数計１０８、マイク１０９、カメラ１１０、ＧＰＳ信号受信部１１１及びＧＰＳ信号用アンテナ１１２等のハードウェアを備えている。これらの構成要素が動作することにより、後述する携帯電話機１０の各機能が発揮される。
【００１７】
引き続いて、携帯電話機１０の本発明に係る機能について説明する。図１に示すように、携帯電話機１０は、状態情報取得部１１と、条件判断部１２と、送信部１３と、警告部１４とを備えて構成される。なお、携帯電話機１０は上記以外にも通常の携帯電話機としての機能も備えている（図示せず）。
【００１８】
状態情報取得部１１は、ユーザの状態を判断するための状態情報を取得する状態情報取得手段である。本実施形態において、ユーザの状態はユーザが起床しているか否か（睡眠中であるか）の状態である。状態情報取得部１１が取得するユーザの状態を判断するための状態情報は、自装置１０の振動に基づく情報、自装置１０の周囲の音声、自装置の周囲の画像の少なくともいずれかを含む。自装置１０の振動、自装置１０の周囲の音声、自装置１０の周囲の画像は、通常、ユーザの状態（ユーザの置かれた環境や行動）に応じて変化する。
【００１９】
例えば、ユーザが起床しており携帯電話機１０を携帯して歩けば、その歩行に応じて携帯電話機１０は振動する。ユーザが睡眠していれば、携帯電話機１０は振動しない。また、ユーザが起床して家の中にあるテレビ等の音声が発生する装置の電源をオンすれば、あるいはユーザが別の人と会話をすれば、音声が発生する。ユーザが睡眠していれば、通常、音声は発生しない。また、ユーザが起床して当日の新聞を携帯電話機１０のカメラ１１０で撮影するようにすれば、当日の新聞の画像が取得される。また、携帯電話機１０のカメラ１１０によって撮像された画像に動きがあれば、携帯電話機１０を携帯しているユーザが動いておりユーザが起床しているものと考えられる。
【００２０】
具体的には状態情報取得部１１は、歩数計１０８、マイク１０９、カメラ１１０等の携帯電話機１０に備えられたデバイスによって状態情報を取得する。具体的には、歩数計１０８が、携帯電話機１０の振動を検出して、検出された振動に基づいてユーザが何歩歩いたかの情報を状態情報として取得する。なお、ユーザの歩数の情報は、従来の方法と同様に取得することができる。また、マイク１０９が、音声を検出して検出された音声の音量等を状態情報として取得する。また、カメラ１１０が、画像を撮像して撮像された画像を状態情報として取得する。なお、マイク１０８やカメラ１１０は、ユーザの状態に応じた情報をより適切に取得できるような位置に設けられていることが望ましい。例えば、カメラ１１０は、携帯電話機１０の外部の画像を撮像できるように携帯電話機１０の外側に設けられていることが望ましい。
【００２１】
状態情報取得部１１は、これらのように取得された状態情報を条件判断部１２に出力する。なお、状態情報として、上記の３つの情報すべてが用いられてもよいが、いずれか一つが用いられてもよい。状態情報取得部１１は、取得した状態情報を条件判断部１２に入力する。
【００２２】
状態情報取得部１１は、上記の状態情報に加えて、携帯電話機１０の現在位置を示す位置情報を取得してもよい。位置情報は、例えば、携帯電話機１０に備えられたＧＰＳ信号受信部１１１及びＧＰＳ信号用アンテナ１１２等のハードウェアが用いられてＧＰＳによって取得される。状態情報取得部１１は、取得した位置情報を条件判断部１２に入力する。
【００２３】
条件判断部１２は、状態情報取得部１１から入力された状態情報が、予め設定された条件に合致するか否か判断する条件判断手段である。ここで、予め設定された条件は、ユーザが起床しているか否かを判断する条件である。予め設定された条件を示す情報は、ユーザに設定される等して予め携帯電話機１０のメモリ等に記憶されている。
【００２４】
ここで、携帯電話機１０において、予め設定され記憶されている設定情報を図３に示す。この設定情報は、本発明の機能に係る情報であり、上記の条件を示す条件を示す情報を含む。図３に示すように設定情報は、設定項目と設定内容とが対応付けられた情報である。状態情報取得部１１から入力された状態情報に基づき、ユーザが起床しているか否かを判断するための設定情報は、「（９）歩数情報」、「（１０）外部音」、「（１１）位置情報」、「（１２）カメラ情報」である。条件判断部１２は、設定情報のうちの上記の情報を参照して、状態情報が設定されている情報を満たすか否かを判断することによってユーザが起床しているか否かを判断する。
【００２５】
条件判断部１２は、状態情報取得部１１から入力された状態情報により示されるユーザの歩数が、「（９）歩数情報」で設定される数（図３の例では、「１００歩以上」）であれば、ユーザが起きていると判断する。条件判断部１２は、状態情報取得部１１から入力された状態情報により示される音声が、設定情報の「（１０）外部音」で設定される条件（図３の例では、音量が「５０ｄｂ以上（テレビの音相当）」）であれば、ユーザが起きていると判断する。また、音量が１分以上５０ｄｂ以上である等、一定時間継続していた場合にユーザが起きていると判断することとしてもよい。
【００２６】
条件判断部１２は、状態情報取得部１１から入力された情報により示される位置情報が、設定情報の「（１１）位置情報」で設定される条件（図３の例では、携帯電話機１０の位置が「自宅以外」）であれば、ユーザが起きていると判断する。なお、上記の判断は、例えば、設定情報として格納されている、予めＧＰＳ等によって取得された自宅の位置情報（例えば、緯度、経度を示す情報）と、状態情報取得部１１から入力された情報により示される携帯電話機１０の位置情報とを比較して、一定以上の距離があるか否かを判断することによって行われる。一定以上の距離があれば「自宅以外」である。
【００２７】
条件判断部１２は、状態情報取得部１１から入力された状態情報である画像が、「（１２）カメラ情報」で設定される内容（図３の例では、「外部カメラが動きを感知する」）であれば、ユーザが起きていると判断する。この場合、状態情報取得部１１は、状態情報として複数のタイミングによる画像か、動画を取得する。また、画像の動きの感知が１分以上継続している等、一定時間継続していた場合にユーザが起きていると判断することとしてもよい。なお、複数の画像間で動きがあるか否かの判断は従来の方法を用いることができる。
【００２８】
条件判断部１２は、予め定められたタイミング（時刻、あるいは時間帯）に判断を行うこととしてもよい。例えば、図３に示す設定情報の「（８）出勤時刻」で指定されたタイミング（図３の例では７：３０）で判断を行うこととしてもよい。その場合、状態情報取得部１１もその判断の少し前のタイミングから状態情報の取得を開始することとしてもよい。例えば、図３に示す「（１）アラーム」で指定されたタイミング（図３の例では７：００）から状態情報を取得するようにしてもよい。なお、本実施形態に係る携帯電話機１０は、時計機能を有しており何れの構成要素も時刻を把握することが可能である。また、条件判断部１２は、ユーザが起床していないと判断した場合には、図３に示す設定情報の「（１４）監視頻度」で指定された時間間隔で繰り返し判断を行うこととしてもよい。
【００２９】
条件判断部１２は、ユーザが起床しているか否かの判断結果を送信部１３及び警告部１４に通知する。
【００３０】
送信部１３は、条件判断部１２による判断に応じた送信情報を自装置以外の通信装置に送信する送信手段である。具体的には、送信部１３は、条件判断部１２から通知された判断結果が、ユーザが起床していないものであった場合、予め設定されたメールアドレスに対して、送信情報である電子メールを送信する。当該電子メールには、例えば、ユーザが起床していないことを示す情報を本文等に含めることとしてもよい。電子メールの送信は、携帯電話機１０の移動体通信機能が用いられて行われる。
【００３１】
電子メールの送信先は、設定情報の「（１３）メール送信先」で予め指定されている。電子メールの送信先は、例えば、携帯電話機１０のユーザの勤務先の者のメールアドレス等、携帯電話機１０のユーザが起床しているか否かを把握したい者のメールアドレスが指定されている。電子メールの送信先となっているメールアドレスを利用している者は、送信された電子メールを参照することによって携帯電話機１０のユーザが起床していないことを知ることができる。送信部１３は、条件判断部１２から通知された判断結果が、ユーザが起床しているものであった場合、特段の処理を行わない。
【００３２】
警告部１４は、携帯電話機１０のユーザに対してアラーム動作を行う手段である。アラーム動作は、ユーザを起床させるものであり、いわゆる目覚まし機能である。アラーム動作は、予め設定された時刻に行われる他、条件判断部１２による判断に応じて行われる。即ち、警告部１４は、条件判断部１２による判断に応じてユーザに警告（アラーム）を行う警告手段である。警告部１４が行うアラームとしては、例えば、携帯電話機１０からアラーム用の音声を出力したり、あるいは携帯電話機１０を振動させたりするものである。アラーム用の音声の出力は、携帯電話機１０に設けられるスピーカ（図示せず）から行われる。携帯電話機１０の振動は、携帯電話機１０に設けられるモータ（図示せず）によって行われる。
【００３３】
警告部１４は、図３に示す設定情報に従ってアラーム動作を行う。まず、警告部１４は、図３の設定情報の「（１）アラーム」で指定される時刻及び「（２）繰り返し」で指定される曜日にアラーム動作を開始する。図３の例では、月曜日から金曜日までの曜日の７：００にアラーム動作が開始される。なお、上述したように、状態情報取得部１１による状態情報の取得も、上記と同様のタイミングで行われてもよい。
警告部１４は、図３の設定情報の「（５）アラーム音設定」で指定されている音声（音楽）を、「（３）アラーム音量（１回目）」で指定されている音量で音声出力する。警告部１４は、「（５）アラーム音設定」で指定されている音声を出力するための情報を予め記憶している。警告部１４は、図３の設定情報の「（６）バイブ強さ（１回目）」で指定されている強さで携帯電話機１０を振動（バイブレーション）させる。警告部１４は、ユーザから携帯電話機１０に対して、アラーム動作を停止させる操作があった場合には、アラーム動作を停止する。
【００３４】
警告部１４は、その後、条件判断部１２から通知された判断結果が、ユーザが起床していないものであった場合、アラーム動作を繰り返す。この場合、アラーム動作をより強く行う。警告部１４は、「（３）アラーム音量（１回目）」で指定されている音量より大きい「（４）アラーム音量（２回目以降）」で指定されている音量で音声出力する。警告部１４は、「（６）バイブ強さ（１回目）」で指定されている強さよりも強い「（７）バイブ強さ（２回目以降）」で指定されている強さで携帯電話機１０を振動（バイブレーション）させる。
【００３５】
警告部１４は、条件判断部１２から通知された判断結果が、ユーザが起床しているものであった場合、アラーム動作を行わない。なお、警告部１４による警告は、上記以外でもユーザの五感に訴えかけ、起床を促すものであればどのようなものであってもよい。以上が、携帯電話機１０の構成である。
【００３６】
引き続いて、図４のフローチャートを用いて、本実施形態に係る携帯電話機１０で実行される処理（情報送信方法）を説明する。本処理は、例えば、携帯電話機１０のユーザの勤務日の朝等、ユーザが起床しなければいけない時間に行われる。
【００３７】
携帯電話機１０では、警告部１４によって、アラーム動作を行う設定時刻（図３に示される設定情報の「（１）アラーム」）であるか否かが判断される（Ｓ０１）。設定時刻になっていなければ繰り返し上記の判断が行われる。続いて、アラーム動作を行う設定時刻であると判断されると、警告部１４によるアラーム動作が行われる（Ｓ０２）。このアラーム動作は、図３に示される設定情報の「（３）アラーム音量（１回目）」及び「（６）バイブ強さ（１回目）」に従って、１回目のアラーム動作として行われる。このアラーム動作は、ユーザから携帯電話機１０に対してアラーム動作を停止させる操作があった場合には停止される。
【００３８】
また、１回目のアラーム動作を行う設定時刻には、状態情報取得部１１によっても当該時刻であることが検出されて、状態情報が取得される（Ｓ０３、状態情報取得ステップ）。この状態情報の取得は、条件判断部１２による判断が行われるまで継続して行われる。取得された状態情報は、状態情報取得部１１から条件判断部１２に出力される。
【００３９】
続いて、条件判断部１２によって、状態情報取得部１１から入力された状態情報からユーザが起床しているか否かが判断される（Ｓ０４、条件判断ステップ）。この判断は、状態情報が、ユーザが起床しているか否かを判断するための設定情報に設定された条件（「（９）歩数情報」、「（１０）外部音」、「（１１）位置情報」、「（１２）カメラ情報」）に合致しているか否かの判断である。この判断は、図３に示される設定情報の「（８）出勤時刻」で示される時刻に行なわれる。条件判断部１２による判断結果は、送信部１３及び警告部１４に通知される。
【００４０】
条件判断部１２から通知された判断結果が、ユーザが起床していないものであった場合（ユーザがＳ０２のアラーム等によって起床した場合）、送信部１３によって設定情報の「（８）メール送信先」で指定されるメールアドレスに対して電子メールが送信される（Ｓ０５、送信ステップ）。当該電子メールを受信した者は携帯電話機１０のユーザが起床していないことを知ることができる。
【００４１】
また、条件判断部１２から通知された判断結果が、ユーザが起床していないものであった場合（ユーザがＳ０２のアラーム等によって起床した場合）、警告部１４によって再度アラーム動作が行われる（Ｓ０６、警告ステップ）。このアラーム動作は、図３に示される設定情報の「（４）アラーム音量（２回目以降）」及び「（７）バイブ強さ（２回目以降）」に従って、２回目以降のアラーム動作として行われる。このアラーム動作は、上記の１回目のアラーム動作よりも強い（音量あるいは振動が大きい）アラーム動作である。これは、ユーザをより強く起こすためである。このアラーム動作は、ユーザから携帯電話機１０に対してアラーム動作を停止させる操作があった場合には停止される。
【００４２】
メール送信（Ｓ０５）及びアラーム（Ｓ０６）が行われた後、再度、Ｓ０３〜Ｓ０６の処理が繰り返される。ここで、Ｓ０４における条件判断部１２による判断は、設定情報の「（１４）監視頻度」で指定されている時間間隔で行われる。
【００４３】
Ｓ０４における条件判断部１２による判断は、ユーザが起床しているものであった場合は、特段の処理が行われずに処理が終了する。但し、この場合でも、送信部１３によって、設定情報の「（８）メール送信先」で指定されるメールアドレスに対してユーザが起床している情報を含む電子メールが送信されてもよい。以上が、本実施形態に係る携帯電話機１０で実行される処理である。
【００４４】
上述したように本実施形態では、携帯電話機１０の振動に基づく歩数の情報、携帯電話機１０の周囲の音声、携帯電話機１０の周囲の画像の少なくともいずれかが状態情報として取得される。そして、取得された状態情報が、ユーザが起床しているか否かの予め設定された設定情報の条件に合致するか否かが判断され、その判断に応じて電子メールが送信される。本実施形態によれば、上記のような状態情報に基づいて電子メールの送信が行われるため、ユーザの行動や周囲の環境に応じてより適切にユーザの状態が判断される。従って、本実施形態によれば、単なる装置の位置等を用いる場合に比べて、第三者にユーザの状態、即ち、ユーザが起床しているか否かを適切に把握させることができる。
【００４５】
より具体的には、例えば、ユーザが会社に出社しない場合や遅刻した場合に、会社の人間がその原因がユーザの寝坊によるものなのか、それ以外の原因なのかを判断することができる。
【００４６】
また、本実施形態のように、条件判断部１２による判断の結果に応じてアラームを行うことが望ましい。この構成によれば、第三者にユーザの状態を適切に把握させると共に、例えば、ユーザが睡眠中である場合にユーザを起こすこと等ができる。但し、必ずしもアラームを行う必要はない。
【００４７】
また、本実施形態のように、例えば、７：００から等の予め定められたタイミングで本発明の処理を行うことが望ましい。この構成によれば、出勤時間等の必要な時間帯に第三者にユーザの状態を適切に把握させることができる。但し、時間帯に依存しないユーザの状態を判断する場合には、必ずしも上記の構成にする必要は無い。
【００４８】
なお、本実施形態では情報送信装置を携帯電話機１０としたが、状態情報を取得でき、電子メール等の送信情報を送信できるものであれば、どのような装置であってもよい。また、本実施形態では状態情報から判断するユーザの状態をユーザが起床しているか否かとしたが、その他の状態でもよい。
【符号の説明】
【００４９】
１０…携帯電話機、１１…状態情報取得部、１２…条件判断部、１３…送信部、１４…警告部、１０１…ＣＰＵ、１０２…ＲＡＭ、１０３…ＲＯＭ、１０４…操作部、１０５…無線通信部、１０６…ディスプレイ、１０７…移動体通信用アンテナ、１０８…歩数計、１０９…マイク、１１０…カメラ、１１１…ＧＰＳ信号受信部、１１２…ＧＰＳ信号用アンテナ。
【図１】
2011217145.tif 000003
【図２】
2011217145.tif 000004
【図３】
2011217145.tif 000005
【図４】
2011217145.tif 000006